(57)【特許請求の範囲】
【請求項１】
第１鉄道会社内の各駅に設置された改札機を管理する第１サーバと、第１鉄道会社との間で相互乗り入れしている第２鉄道会社内の各駅に設置された改札機を管理する第２サーバとを備え、第１鉄道会社内の第１駅から第２鉄道会社内の第２駅までの有効区間に対応した二次元コードを有する券媒体により改札処理を行う券媒体処理システムであって、
前記第１サーバは、
第１駅から第２駅までのいずれかの駅に設置された改札機において券媒体の二次元コードに基づいた入場処理が行われた旨の入場情報を記憶する第１記憶手段と、
第１駅から第２駅までの駅のうちの第１鉄道会社内のいずれかの駅に設置された改札機から、前記第１記憶手段に記憶されている入場情報と同一の入場情報を受信したのに基づいて、前記券媒体の二次元コードに基づいた入場処理及び出場処理を不許可とするネガティブ情報を生成するネガティブ情報生成手段と、
前記ネガティブ情報生成手段により生成されたネガティブ情報を前記第２サーバに送信する送信手段と、
前記ネガティブ情報生成手段により生成されたネガティブ情報を、第１駅から第２駅までの駅のうちの第１鉄道会社内の各駅に設置された改札機に配信する第１配信手段と、
を備えたことを特徴とする券媒体処理システム。
【請求項２】
前記第２サーバは、
前記第１記憶手段に記憶された入場情報と同一の入場情報を記憶する第２記憶手段と、
前記第１サーバの前記送信手段から送信されたネガティブ情報を、第１駅から前記第２駅までの駅のうちの第２鉄道会社内の各駅に設置された改札機に配信する第２配信手段と、
を備えたことを特徴とする請求項１に記載の券媒体処理システム。
【請求項３】
前記第１鉄道会社内の各駅及び前記第２鉄道会社内の各駅に設置された改札機は、
前記第１配信手段または前記第２配信手段から配信されたネガティブ情報を記憶する第３記憶手段と、
券媒体から二次元コードを読み取る読取手段と、
前記読取手段により読み取られた前記二次元コードに基づき対応するネガティブ情報が前記第３記憶手段に記憶されているか否かを判断するネガティブ情報判断手段と、
当該改札機が設置された当該駅が前記読取手段により読み取られた前記二次元コードの有効区間内であるか否かを判断する有効区間判断手段と、
前記ネガティブ情報判断手段により対応するネガティブ情報が前記第３記憶手段に記憶されていないと判断され、且つ、前記有効区間判断手段により有効区間内であると判断されたのに基づいて、改札通路を開放するドア機構と、
前記ネガティブ情報判断手段により対応するネガティブ情報が前記第３記憶手段に記憶されていないと判断され、且つ、前記有効区間判断手段により有効区間内であると判断されたのに基づいて、前記券媒体の二次元コードに基づいた入場処理が行われた旨の入場情報を生成する情報生成手段と、
を備えたことを特徴とする請求項２に記載の券媒体処理システム。
【請求項４】
第１鉄道会社内の各駅に設置された改札機を管理する第１サーバと、第１鉄道会社との間で相互乗り入れしている第２鉄道会社内の各駅に設置された改札機を管理する第２サーバとを備え、第１鉄道会社内の第１駅から第２鉄道会社内の第２駅までの有効区間に対応した二次元コードを有する券媒体により改札処理を行う券媒体処理システムの券媒体処理方法であって、
第１駅から第２駅までの駅のうちの第１鉄道会社内の駅に設置された改札機において、券媒体の二次元コードに基づいた入場処理が行われた旨の入場情報を生成し、
前記第１サーバにおいて、前記入場情報を第１記憶手段に記憶するとともに、前記入場情報を前記第２サーバに送信し、
前記第２サーバにおいて、前記第１サーバから送信された前記入場情報を第２記憶手段に記憶し、
前記第１サーバまたは前記第２サーバにおいて、第１駅から第２駅までのいずれかの駅に設置された改札機から前記入場情報と同一の入場情報を受信したのに基づいて、前記券媒体の二次元コードに基づいた入場処理及び出場処理を不許可とするネガティブ情報を生成し、
前記第１サーバにおいてネガティブ情報を生成した場合には生成したネガティブ情報を前記第２サーバに送信するとともに、前記第２サーバにおいてネガティブ情報を生成した場合には生成したネガティブ情報を前記第１サーバに送信し、
第１駅から第２駅までの駅のうちの第１鉄道会社内の各駅に設置された改札機に対して前記第１サーバから前記ネガティブ情報を配信するとともに、第１駅から第２駅までの駅のうちの第２鉄道会社内の各駅に設置された改札機に対して前記第２サーバから前記ネガティブ情報を配信することを特徴とする券媒体処理方法。
【請求項５】
前記第１鉄道会社内の各駅及び前記第２鉄道会社内の各駅に設置された改札機において、
前記第１サーバまたは前記第２サーバから配信されたネガティブ情報を第３記憶手段に記憶し、
券媒体から二次元コードを読み取り、
読み取った前記二次元コードに基づき対応するネガティブ情報が前記第３記憶手段に記憶されているか否かを判断し、
当該改札機が設置された当該駅が有効区間内であるか否かを判断し、
対応するネガティブ情報が前記第３記憶手段に記憶されていないと判断され、且つ、有効区間内であると判断されたのに基づいて、改札通路を開放し、
対応するネガティブ情報が前記第３記憶手段に記憶されていないと判断され、且つ、有効区間内であると判断されたのに基づいて、前記券媒体の二次元コードに基づいた入場処理が行われた旨の入場情報を生成することを特徴とする請求項４に記載の券媒体処理方法。
【発明の詳細な説明】
【技術分野】
【０００１】
この発明は、二次元コードを有する券媒体を処理する券媒体処理システム及び券媒体処理方法に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券や乗車券などの券媒体の改札情報に基づいて入場処理または出場処理といった改札処理を行う。
【０００３】
このような改札機を利用するための券媒体としては、改札情報を磁気情報として記録した磁気式の券媒体や、改札情報を記憶したメモリを有し改札機との間で無線通信が可能な券媒体（ＩＣチップを内蔵したＩＣカードや携帯端末機器などを含む）などが実用化されている。
【０００４】
例えば、特許文献１には、券媒体として、二次元バーコードからなる券情報を有する携帯端末機器、二次元バーコードが印刷された媒体を利用し、入出場処理等を行う券情報処理システムが開示されている。特に、ここでは、券媒体が乗車券として利用される場合に、中央管理装置で生成された乗車券情報が当該乗車券で入場できる乗車区間の全駅に配信され、入場時には二次元バーコードを用いた入場が行われた旨の情報つまりネガティブ情報が全入場可能駅に配信され、出場時には二次元バーコードを用いた出場が行われた旨の情報つまりネガティブ情報が全出場可能駅に配信されることで、不正な使用を防止する技術が開示されている。
【先行技術文献】
【特許文献】
【０００５】
【特許文献１】特開２００６−５９２４９号公報
【発明の概要】
【発明が解決しようとする課題】
【０００６】
この発明の目的は、二次元コードを有する券媒体を用いて、複雑な制御を必要とすることなく改札処理を可能とする券媒体処理システム及び券媒体処理方法を提供することにある。
【課題を解決するための手段】
【０００７】
この発明の態様によれば、
第１鉄道会社内の各駅に設置された改札機を管理する第１サーバと、第１鉄道会社との間で相互乗り入れしている第２鉄道会社内の各駅に設置された改札機を管理する第２サーバとを備え、第１鉄道会社内の第１駅から第２鉄道会社内の第２駅までの有効区間に対応した二次元コードを有する券媒体により改札処理を行う券媒体処理システムであって、
前記第１サーバは、第１駅から第２駅までのいずれかの駅に設置された改札機において券媒体の二次元コードに基づいた入場処理が行われた旨の入場情報を記憶する第１記憶手段と、第１駅から第２駅までの駅のうちの第１鉄道会社内のいずれかの駅に設置された改札機から、前記第１記憶手段に記憶されている入場情報と同一の入場情報を受信したのに基づいて、前記券媒体の二次元コードに基づいた入場処理及び出場処理を不許可とするネガティブ情報を生成するネガティブ情報生成手段と、前記ネガティブ情報生成手段により生成されたネガティブ情報を前記第２サーバに送信する送信手段と、前記ネガティブ情報生成手段により生成されたネガティブ情報を、第１駅から第２駅までの駅のうちの第１鉄道会社内の各駅に設置された改札機に配信する第１配信手段と、を備えたことを特徴とする券媒体処理システムが提供される。
【０００８】
この発明の他の態様によれば、
第１鉄道会社内の各駅に設置された改札機を管理する第１サーバと、第１鉄道会社との間で相互乗り入れしている第２鉄道会社内の各駅に設置された改札機を管理する第２サーバとを備え、第１鉄道会社内の第１駅から第２鉄道会社内の第２駅までの有効区間に対応した二次元コードを有する券媒体により改札処理を行う券媒体処理システムの券媒体処理方法であって、
第１駅から第２駅までの駅のうちの第１鉄道会社内の駅に設置された改札機において、券媒体の二次元コードに基づいた入場処理が行われた旨の入場情報を生成し、前記第１サーバにおいて、前記入場情報を第１記憶手段に記憶するとともに、前記入場情報を前記第２サーバに送信し、前記第２サーバにおいて、前記第１サーバから送信された前記入場情報を第２記憶手段に記憶し、前記第１サーバまたは前記第２サーバにおいて、第１駅から第２駅までのいずれかの駅に設置された改札機から前記入場情報と同一の入場情報を受信したのに基づいて、前記券媒体の二次元コードに基づいた入場処理及び出場処理を不許可とするネガティブ情報を生成し、前記第１サーバにおいてネガティブ情報を生成した場合には生成したネガティブ情報を前記第２サーバに送信するとともに、前記第２サーバにおいてネガティブ情報を生成した場合には生成したネガティブ情報を前記第１サーバに送信し、第１駅から第２駅までの駅のうちの第１鉄道会社内の各駅に設置された改札機に対して前記第１サーバから前記ネガティブ情報を配信するとともに、第１駅から第２駅までの駅のうちの第２鉄道会社内の各駅に設置された改札機に対して前記第２サーバから前記ネガティブ情報を配信することを特徴とする券媒体処理方法が提供される。
【発明の効果】
【０００９】
この発明によれば、二次元コードを有する券媒体を用いて、複雑な制御を必要とすることなく改札処理を可能とする券媒体処理システム及び券媒体処理方法を提供することができる。
【図面の簡単な説明】
【００１０】
【図１】図１は、本実施形態における改札システムの一構成例を概略的に示すブロック図である。
【図２】図２は、図１に示した改札システムの改札機の一構成例を概略的に示すブロック図である。
【図３】図３は、本実施形態における二次元コードを有する券媒体による改札処理を説明するためのフローチャートである。
【図４】図４は、本実施形態の第１サーバ及び第２サーバにおいて受信した入場情報の処理を説明するためのフローチャートである。
【図５】図５は、本実施形態の第１サーバ及び改札機でのネガティブ情報の処理を説明するためのフローチャートである。
【図６】図６は、本実施形態の第１サーバ、第２サーバ及び改札機でのネガティブ情報の処理を説明するためのフローチャートである。
【発明を実施するための形態】
【００１１】
以下、一実施の形態について、図面を参照しながら詳細に説明する。なお、各図において、同一又は類似した機能を発揮する構成要素には同一の参照符号を付し、重複する説明は省略する。
【００１２】
特に、本実施形態においては、券媒体処理システムの一例として、第１鉄道会社内の各駅に設置された改札機及びこの改札機を管理する第１サーバと、第１鉄道会社との間で相互乗り入れしている第２鉄道会社内の各駅に設置された改札機及びこの改札機を管理する第２サーバとを備えた改札システムについて説明し、さらに、券媒体処理方法の一例として、上記した改札システムにおいて券媒体の二次元コードに基づいた改札処理について説明する。
【００１３】
図１は、本実施形態における改札システムの構成を概略的に示すブロック図である。  
この改札システムにおいては、第１鉄道会社は、管轄する各駅（図示したＡ駅やＢ駅など）に設置された改札機１と、これらの改札機１に対する上位機器（あるいは外部機器）として機能する第１サーバ４１と、を有している。各改札機１と第１サーバ４１とは、通信回線を介して各種情報の送受信を行うように構成されている。
【００１４】
また、この改札システムにおいては、第２鉄道会社は、管轄する各駅（図示したＣ駅やＤ駅など）に設置された改札機１と、これらの改札機１に対する上位機器（あるいは外部機器）として機能する第２サーバ４２と、を有している。各改札機１と第２サーバ４２とは、通信回線を介して各種情報の送受信を行うように構成されている。また、第１サーバ４１と第２サーバ４２とは、通信回線を介して各種情報の送受信を行うように構成されている。
【００１５】
なお、図示した例の改札システムにおいては、第１サーバ４１と第２サーバ４２との間にセンターサーバが介在していても良いし、第１サーバ４１と配下の改札機１との間、及び、第１サーバ４１と配下の改札機１との間には、各駅の駅サーバなどが介在していても良い。
【００１６】
各駅に設置された改札機１は、実質的には同一構成であり、各駅の改札口において利用者が通行可能な改札通路に沿って配置されている。この改札機１は、利用者が所持している券媒体の券情報に基づいて改札処理（つまり、駅構内に入場する際の入場処理や駅構内から出場する際の出場処理などの処理）を行う。このような改札処理では、改札機１は、券媒体から読み取った券情報に基づいて改札通路の通行の可否を判定する。
【００１７】
本実施形態において、改札機１で利用可能な券媒体としては、改札処理に必要な券情報（すなわち、固有の識別情報、有効区間、有効期間などの各種情報を含む）に対応した二次元コードを有するものである。有効区間とは、券媒体が発行される際に予め設定された区間であり、第１鉄道会社が管轄する駅と第２鉄道会社が管轄する駅とに跨る区間の設定も可能である。このように、複数の鉄道会社が管轄する駅に跨った有効区間を有する券媒体は、連絡切符などと称される場合がある。有効期間については、通常の券媒体では発行当日限り有効となるように設定されるが、有効区間（あるいは距離）や券媒体の種類などに応じて使用開始日から数日間にわたり有効となるように設定される場合もある。
【００１８】
改札機１は、券情報に基づいて改札処理を行い、券媒体の有効性「有り」（つまり、利用者の改札通路の通過を許可する）と判定した場合には、改札済情報を生成する。この改札済情報は、券媒体の券情報に基づいて生成されるものであり、券情報と同一の固有の識別情報及び有効区間を含んでおり、改札済（つまり、入場済みあるいは出場済み）である旨の情報に相当する。このような改札済情報には、入場情報や出場情報などがある。
【００１９】
このような改札済情報は、上位機器に送信される。すなわち、第１鉄道会社が管轄する駅に設置された改札機１は、生成した改札済情報を第１サーバ４１に送信する。また、第２鉄道会社が管轄する駅に設置された改札機１は、生成した改札済情報を第２サーバ４２に送信する。
【００２０】
第１サーバ４１及び第２サーバ４２は、実質的に同一構成である。  
第１サーバ４１は、第１鉄道会社が管轄する駅の改札機１などの下位機器を管理し、下位機器における処理データを集計したり、下位機器の動作状況を監視したりする。第２サーバ４２は、第２鉄道会社が管轄する駅の改札機１などの下位機器を管理し、下位機器における処理データを集計したり、下位機器の動作状況を監視したりする。
【００２１】
第１サーバ４１は、送信手段及び第１配信手段として機能する制御部４１１、通信部４１２、第１記憶手段として機能するメモリ４１３、ネガティブ情報生成手段として機能するネガティブ情報生成部４１４などを有している。
【００２２】
制御部４１１は、第１サーバ４１の制御のみならず、第１鉄道会社内の改札システムの制御を行う。通信部４１２は、下位機器との間で種々の情報の送受信を行うインターフェースである。メモリ４１３は、第１サーバ４１を制御するための制御データなどの各種データに加えて、下位機器から送信された各種情報を記憶している。また、メモリ４１３は、改札機１から送信された入場情報や出場情報などの各種改札済情報を記憶している。
【００２３】
ネガティブ情報生成部４１４は、改札機１から送信された改札済情報に基づいてネガティブ情報を生成する。このネガティブ情報とは、券媒体の二次元コードに基づいた入場処理及び出場処理をともに不許可とする旨の情報である。このようなネガティブ情報は、改札済情報と同一の固有の識別情報（つまり、券情報と同一の識別情報）、及び、有効区間を含んでいる。
【００２４】
このような構成の第１サーバ４１において、制御部４１１は、改札済情報の有効区間に基づいて、ネガティブ情報生成部４１４により生成されたネガティブ情報を配信すべき駅を判断し、配信すべきと判断された駅の改札機１に対して、ネガティブ情報を配信する。
【００２５】
第２サーバ４２は、送信手段及び第２配信手段として機能する制御部４２１、通信部４２２、第２記憶手段として機能するメモリ４２３、ネガティブ情報生成手段として機能するネガティブ情報生成部４２４などを有している。なお、第２サーバ４２における制御部４２１、通信部４２２、メモリ４２３、及び、ネガティブ情報生成部４２４の各機能は、第１サーバ４１における制御部４１１、通信部４１２、メモリ４１３、及び、ネガティブ情報生成部４１４の各機能と実質的に同一であり説明を省略する。
【００２６】
次に、上述した改札システムに適用可能な改札機１の構成について説明する。
【００２７】
図２は、改札機１の構成を概略的に示すブロック図である。
【００２８】
すなわち、改札機１は、制御部１１、通信部１２、第３記憶手段として機能するメモリ１３、表示部１４、読取手段として機能する読取部１５、ネガティブ情報判断手段として機能するネガティブ情報判断部１６、有効区間判断手段として機能する有効区間判断部１７、ドア制御部１８、情報生成手段として機能する情報生成部１９などを有している。
【００２９】
制御部１１は、券媒体による改札処理に際して、改札機１を構成する各部の制御を行うものである。通信部１２は、上位機器であるサーバとの通信を行う（第１鉄道会社の改札機は第１サーバ４１との通信を行い、第２鉄道会社の改札機は第２サーバ４２との通信を行う）インターフェースである。メモリ１３は、改札機１の制御に必要な制御データや、改札処理を行うのに必要な各種データなどを記憶している。また、このメモリ１３は、サーバから配信された（第１鉄道会社の改札機に対しては第１サーバ４１から配信され、第２鉄道会社の改札機に対しては第２サーバ４２から配信された）ネガティブ情報を記憶している。
【００３０】
表示部１４は、液晶表示器などで構成されている。この表示部１４は、制御部１１による制御に基づいて、改札機１を利用する利用者に対して操作を案内する画面や券媒体の有効性（つまり、利用者の改札通路の通行を許可するか否か）の判定結果などに対応した案内画面を表示する。
【００３１】
読取部１５は、制御部１１による制御に基づいて、利用者が持参する券媒体から二次元コードを読み取る。この読取部１５は、利用者によって翳された券媒体から二次元コードを読み取り可能な所定の読取エリアを有している。このような読取部１５は、例えば、二次元コードを光学的に読み取るスキャナなどによって構成される。
【００３２】
ネガティブ情報判断部１６は、制御部１１による制御に基づいて、読取部１５により読み取られた二次元コードに基づき対応するネガティブ情報がメモリ１３に記憶されているか否かを判断する。より具体的には、ネガティブ情報判断部１６は、二次元コードから得られた券情報に含まれる識別情報を基に、メモリ１３に記憶されているネガティブ情報を参照し、この中から該当する識別情報（つまり、読み取った券媒体から得た識別情報と同一の識別情報）を含むネガティブ情報が存在するか否かを判断する。
【００３３】
有効区間判断部１７は、制御部１１による制御に基づいて、読取部１５により読み取られた二次元コードに基づき当該改札機１が設置された当該駅が有効区間内であるか否かを判断する。より具体的には、有効区間判断部１７は、二次元コードから得られた券情報に含まれる有効区間内に当該駅が含まれるか否かを判断する。
【００３４】
ドア制御部１８は、制御部１１による制御に基づいて、改札機１に設けられているドア機構１８Ａの開閉を制御するものであり、有効性の判定結果に対応して改札通路を開放したり閉鎖したりする。ここでは、ネガティブ情報判断部１６により対応するネガティブ情報がメモリ１３に記憶されていないと判断され、且つ、有効区間判断部１７により有効区間内であると判断された場合に、有効性「有り」と判定され、それ以外の場合には、有効性「無し」と判定される。ドア制御部１８は、有効性「有り」と判定された場合に、利用者の改札通路の通行を許可するため、ドア機構１８Ａを駆動し、改札通路を開放する。また、ドア制御部１８は、有効性「無し」と判定された場合に、利用者の改札通路の通行を不許可するため、ドア機構１８Ａを駆動し、改札通路を閉鎖する。
【００３５】
情報生成部１９は、制御部１１による制御に基づいて、有効性の判定結果として、有効性「有り」と判定された場合に、改札済情報を生成する。より具体的には、情報生成部１９は、読み取った二次元コードから得られた券情報に基づいて改札済情報を生成する。このような改札済情報は、上述した通り、券情報と同一の固有の識別情報、有効期間、有効区間などの各種情報を含でいる。
【００３６】
このような情報生成部１９は、有効区間内の入場駅における入場処理に際して、有効性「有り」と判定された場合に入場情報を生成する。また、情報生成部１９は、有効区間の出場駅における出場処理に際して、有効性「有り」と判定された場合に出場情報を生成する。
【００３７】
なお、このような改札機１は、必要に応じて、磁気式の券媒体を処理する磁気券処理部や無線式の券媒体を処理するカードリーダライタなどを備えていても良い。これらの磁気券処理部及びカードリーダライタについては説明を省略する。
【００３８】
次に、二次元コードを有する券媒体を用いた改札処理について改札機１の各部の動作とともに説明する。  
図３は、本実施形態における二次元コードを有する券媒体による改札処理（つまり、入場処理または出場処理）を説明するためのフローチャートである。
【００３９】
まず、制御部１１は、券媒体が所定の読取エリアに翳されたと判定したのに基づいて（ＳＴ１１、ＹＥＳ）、読取部１５を制御して、券媒体から二次元コードを読み取る（ＳＴ１２）。そして、読取部１５は、二次元コードの読み取りが正常に完了したのに伴い、読取結果つまり読み取った二次元コードから得られた券情報（少なくとも識別情報及び有効区間を含む）をネガティブ情報判断部１６、有効区間判断部１７、及び、情報生成部１９に出力する。
【００４０】
そして、制御部１１は、券媒体の二次元コードに基づいた改札処理を行う。ここに示した例では、当該券媒体による改札処理を不許可とするネガティブ情報の有無と、当該券媒体の有効区間とに基づいて、当該券媒体の有効性の有無を判定する改札処理について説明する。なお、このような改札処理では、詳述しないが、当該券媒体の有効期間を含めて有効性の有無を判定しても良く、券媒体の種類などに応じて改札処理に必要な項目を変更しても良い。
【００４１】
まず、制御部１１は、ネガティブ情報判断部１６を制御して、読取部１５から入力された券情報に基づいて対応するネガティブ情報がメモリ１３に記憶されているか否かを判断する（ＳＴ１３）。より具体的には、ネガティブ情報判断部１６は、入力された券情報に含まれる識別情報を基に、メモリ１３に記憶されているネガティブ情報を参照し、この中から該当する識別情報を含むネガティブ情報が存在するか否かを判断する。
【００４２】
そして、制御部１１は、有効区間判断部１７を制御して、読取部１５から入力された券情報に基づき、当該改札機１が設置された当該駅が券情報に含まれる有効区間内であるか否かを判断する（ＳＴ１４）。より具体的には、有効区間判断部１７は、入力された券情報に含まれる有効区間内に当該駅が含まれる否かを判断する。
【００４３】
そして、制御部１１は、ネガティブ情報判断部１６による判断結果、及び、有効区間判断部１７による判断結果に基づいて、有効性を判定する（ＳＴ１５）。すなわち、制御部１１は、ネガティブ情報判断部１６により該当するネガティブ情報が存在しないとの判断がなされ、且つ、有効区間判断部１７により当該駅が有効区間内であるとの判断がなされた場合に、有効性「有り」と判定し、利用者の改札通路の通行を許可すると判定する（ＳＴ１５、ＹＥＳ）。そして、制御部１１は、ドア制御部１８を制御してドア機構１８Ａを駆動し、改札通路を開放する（ＳＴ１６）。
【００４４】
また、制御部１１は、ネガティブ情報判断部１６により該当するネガティブ情報が存在するとの判断がなされた場合、あるいは、有効区間判断部により当該駅が有効区間外であるとの判断がなされた場合に、有効性「無し」と判定し、利用者の改札通路の通行を許可しないと判定する（ＳＴ１５、ＮＯ）。そして、制御部１１は、ドア制御部１８を制御してドア機構１８Ａを駆動し、改札通路を閉鎖する（ＳＴ１７）。
【００４５】
そして、制御部１１は、有効性「有り」と判定したのに基づいて、情報生成部１９を制御して改札済情報（少なくとも券情報と同一の識別情報及び有効区間を含む）を生成する（ＳＴ１８）。そして、制御部１１は、通信部１２を介して、情報生成部１９によって生成された改札済情報を管轄鉄道会社のサーバ（つまり、上記した第１サーバ４１または第２サーバ）に送信する（ＳＴ１９）。  
以上のようなステップを経て二次元コードを有する券媒体による改札処理を終了する。
【００４６】
次に、各駅の改札機１から送信された改札済情報、ここでは入場情報を受信したサーバでの処理について説明する。  
図４は、本実施形態の第１サーバ４１及び第２サーバ４２において受信した入場情報の処理を説明するためのフローチャートである。
【００４７】
第１サーバ４１の制御部４１１は、通信部４１２を介して、第１鉄道会社の管轄内の駅に設置された改札機１から入場情報を受信したのに基づいて（ＳＴ２１、ＹＥＳ）、受信した入場情報をメモリ４１３に記憶する（ＳＴ２２）。ここに示した例では、例えば、第１サーバ４１は、図１に示したＡ駅に設置された改札機１から入場情報を受信し、その入場情報をメモリ４１３に記憶する。
【００４８】
そして、制御部４１１は、受信した入場情報に含まれる有効区間に他社の区間、ここでは、第２鉄道会社の区間が含まれるか否かを判断する（ＳＴ２３）。つまり、制御部４１１は、受信した入場情報が自社と他社に跨る有効区間を有するいわゆる連絡切符の券情報に対応した入場情報であるか否かを判断する。
【００４９】
制御部４１１は、他社の区間が含まれると判断したのに基づいて（ＳＴ２３、ＹＥＳ）、通信部４１２を介して、他者のサーバ、ここでは第２鉄道会社の第２サーバ４２に対してメモリ４１３に記憶したのと同一の入場情報を送信する（ＳＴ２４）。なお、制御部４１１は、他社の区間が含まれないと判断した場合には（ＳＴ２３、ＮＯ）、第２サーバ４２に対して入場情報を送信することはなく、処理を終了する。ここに示した例では、受信した入場情報に含まれる有効区間が、Ａ駅からＤ駅までである場合について説明する。
【００５０】
第２サーバ４２の制御部４２１は、通信部４２２を介して、第１サーバ４１から送信された入場情報を受信したのに基づいて（ＳＴ２５、ＹＥＳ）、受信した入場情報をメモリ４２３に記憶する(ＳＴ２６)。つまり、サーバ４２では、有効区間がＡ駅からＤ駅までの有効区間を含む入場情報をメモリ４２３に記憶する。
【００５１】
なお、ここでは、第１鉄道会社が管轄する改札機１から入場情報を受信した場合について説明したが、第２鉄道会社が管轄する改札機１から、有効区間として第１鉄道会社の区間を含む入場情報を受信した場合にも同様の処理がなされる。すなわち、第２サーバ４２では、改札機１から受信した入場情報をメモリ４２３に記憶するとともに、第１サーバ４１に送信する。第１サーバ４１では、第２サーバ４２から受信した入場情報をメモリ４１３に記憶する。
【００５２】
以上のようなステップを経て第１サーバ４１及び第２サーバにおいて受信した入場情報の処理を終了する。  
このような処理により、第１鉄道会社と第２鉄道会社とに跨った有効区間を有する券媒体の入場処理に際して、一方の鉄道会社の改札機１から送信された入場情報を双方の鉄道会社の各サーバにて共有することが可能となる。
【００５３】
次に、ネガティブ情報を生成し、各駅の改札機１に配信されるまでの処理について説明する。  
図５及び図６は、本実施形態の第１鉄道会社における第１サーバ４１及び改札機１でのネガティブ情報の処理を説明するためのフローチャートである。
【００５４】
すなわち、第１サーバ４１の制御部４１１は、通信部４１２を介して、第１鉄道会社の管轄内の駅に設置された改札機１から入場情報を受信したのに基づいて（ＳＴ３１、ＹＥＳ）、受信した入場情報と同一の入場情報がメモリ４１３に記憶されているか否かを判断する（ＳＴ３２）。より具体的には、制御部４１１は、受信した入場情報に含まれる識別情報を基に、メモリ４１３に記憶されている入場情報を参照し、この中から同一の識別情報を含む入場情報が存在するか否かを判断する。
【００５５】
そして、制御部４１１は、受信した入場情報と同一の入場情報がメモリ４１３に記憶されていると判断したのに基づいて（ＳＴ３２、ＹＥＳ）、ネガティブ情報生成部４１４を制御して、受信した入場情報に基づいたネガティブ情報（少なくとも入場情報と同一の識別情報及び有効区間を含む）を生成する（ＳＴ３３）。なお、制御部４１１は、受信した入場情報と同一の入場情報がメモリ４１３に記憶されていないと判断したのに基づいて（ＳＴ３２、ＮＯ）、上記したステップＳＴ２２乃至ステップＳＴ２６の処理に移行する。ここに示した例では、例えば、第１サーバ４１において、Ｂ駅から受信した入場情報が、すでにメモリ４１３に記憶されている入場情報と同一である場合、ネガティブ情報を生成する。
【００５６】
そして、制御部４１１は、受信した入場情報に含まれる有効区間に基づいて、生成したネガティブ情報を配信すべき駅を判断する（ＳＴ３４）。より具体的には、制御部４１１は、有効区間内の駅のうち自社が管轄する駅を抽出し、これらの抽出した駅がネガティブ情報を配信すべき駅であると判断する。ここに示した例では、受信した入場情報の有効区間がＡ駅からＤ駅までであり、Ａ駅からＤ駅までの自社の駅つまり第１鉄道会社が管轄する駅であるＡ駅及びＢ駅がネガティブ情報を配信すべき駅として抽出される。
【００５７】
そして、制御部４１１は、配信すべきと判断した駅の改札機１に対して、ネガティブ情報を配信する（ＳＴ３５）。なお、このようなネガティブ情報は、第１サーバ４１から改札機１に対して直接配信されても良いが、第１サーバ４１から配信すべき駅に設置された駅サーバに配信された後に、駅サーバから改札機１に配信されても良い。ここに示した例では、Ａ駅に設置された改札機１及びＢ駅に設置された改札機１に対してネガティブ情報が配信される。
【００５８】
第１鉄道会社の管轄内の駅に設置された改札機１においては、制御部１１は、通信部１２を介して第１サーバ４１からネガティブ情報を受信したのに基づいて（ＳＴ３６、ＹＥＳ）、受信したネガティブ情報をメモリ１３に記憶する（ＳＴ３７）。ここに示した例では、Ａ駅に設置された改札機１及びＢ駅に設置された改札機１では、第１サーバ４１からは配信されたネガティブ情報をメモリ１３に記憶する。
【００５９】
一方で、第１サーバ４１の制御部４１１は、ステップＳＴ３４において、生成したネガティブ情報を配信すべき駅を判断する際に、受信した入場情報に含まれる有効区間に他社の区間、ここでは、第２鉄道会社の区間が含まれるか否かを判断する（ＳＴ４１）。
【００６０】
そして、制御部４１１は、他社の区間が含まれると判断したのに基づいて（ＳＴ４１、ＹＥＳ）、通信部４１２を介して、他者のサーバ、ここでは第２鉄道会社の第２サーバ４２に対して、ステップＳＴ３３において生成したネガティブ情報を配信する（ＳＴ４２）。なお、制御部４１１は、他社の区間が含まれないと判断した場合には（ＳＴ４１、ＮＯ）、第２サーバ４２に対してネガティブ情報を送信することはなく、上述したステップＳＴ３４乃至ステップＳＴ３７を行う。ここに示した例では、受信した入場情報に含まれる有効区間がＡ駅からＤ駅までであるため、第１サーバ４１から第２サーバ４２にネガティブ情報が配信される。
【００６１】
第２サーバ４２においては、制御部４２１は、通信部４２２を介して第１サーバ４１からネガティブ情報を受信したのに基づいて（ＳＴ４３、ＹＥＳ）、受信したネガティブ情報に含まれる有効区間に基づいて、ネガティブ情報を配信すべき駅を判断する（ＳＴ４４）。より具体的には、制御部４２１は、有効区間内の駅のうち自社が管轄する駅を抽出し、これらの抽出した駅がネガティブ情報を配信すべき駅であると判断する。ここに示した例では、受信したネガティブ情報の有効区間がＡ駅からＤ駅までであり、Ａ駅からＤ駅までの自社の駅つまり第２鉄道会社が管轄する駅であるＣ駅及びＤ駅がネガティブ情報を配信すべき駅として抽出される。
【００６２】
そして、制御部４２１は、配信すべきと判断した駅の改札機１に対して、ネガティブ情報を配信する（ＳＴ４５）。なお、このようなネガティブ情報は、第２サーバ４２から改札機１に対して直接配信されても良いが、第２サーバ４２から配信すべき駅に設置された駅サーバに配信された後に、駅サーバから改札機１に配信されても良い。ここに示した例では、Ｃ駅に設置された改札機１及びＤ駅に設置された改札機１に対してネガティブ情報が配信される。これにより、有効区間内のすべての駅にネガティブ情報が配信されたことになる。
【００６３】
第２鉄道会社の管轄内の駅に設置された改札機１においては、制御部１１は、通信部１２を介して第２サーバ４２からネガティブ情報を受信したのに基づいて（ＳＴ４６、ＹＥＳ）、受信したネガティブ情報をメモリ１３に記憶する（ＳＴ４７）。ここに示した例では、Ｃ駅に設置された改札機１及びＤ駅に設置された改札機１では、第１サーバ４１からは配信されたネガティブ情報をメモリ１３に記憶する。
【００６４】
以上のようなステップを経てネガティブ情報の配信処理を終了する。  
このような処理によれば、第１鉄道会社と第２鉄道会社とに跨った有効区間を有する券媒体の入場処理に際して、同一の券媒体、あるいは、同一の二次元コードを有する複製券媒体などを利用して２回目の入場処理が行われたのに基づき、当該入場処理を行った側の鉄道会社のサーバにおいて、当該券媒体に対するネガティブ情報を生成し、生成したネガティブ情報を他社側に配信することにより、両鉄道会社にてネガティブ情報を共有することが可能となる。
【００６５】
また、各鉄道会社のサーバは、ネガティブ情報の有効区間に基づき、ネガティブ情報を配信すべき駅を判断し、それらの駅に設置された改札機に対しておのおのネガティブ情報を配信する。このような処理により、有効区間内の駅の各改札機にてネガティブ情報を共有することが可能となる。このため、複雑な制御を必要とすることなく利用者の誤った利用を阻止し、正常な運用に沿った改札処理を行うことが可能となる。また、システム上に配信される情報量も低減することが可能となる。
【００６６】
特に、本実施形態によれば、券媒体が発行された際に、乗車区間に含まれるすべての駅に対して乗車券情報を配信し、入場が許可されたときに全入場可能駅にネガティブ情報を配信し、また、出場が許可されたときに全出場可能駅にネガティブ情報を配信するといった手法と比較して、改札機と各社サーバとの間での情報のやり取りが簡素化され、システム上の負荷を軽減することが可能となる。
【００６７】
また、改札機では、配信済みのネガティブ情報の有無、券媒体から読み取った有効区間などに基づいて券媒体の有効性の有無を判断している。このため、券媒体の有効性の有無を判断するに際して、改札機からサーバへの問合せを行う必要がなく、速やかな改札処理を実現できる。
【００６８】
また、改札機が利用者によって翳された券媒体から二次元コードを読み取る構成を適用した場合には、券媒体を機体内に取り込んで搬送するといった機構が不要であり、省資源化、装置本体のコストの低減、及び、システムの導入コストの低減が可能となる。
【００６９】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００７０】
図１に示した例においては、Ａ駅、Ｂ駅、Ｃ駅、Ｄ駅のそれぞれの駅間に１つ以上の図示しない駅が介在していても良いことは言うまでも無い。
以下に本件出願当初の特許請求の範囲に記載された発明を付記する。
［１］  
第１鉄道会社内の各駅に設置された改札機を管理する第１サーバと、第１鉄道会社との間で相互乗り入れしている第２鉄道会社内の各駅に設置された改札機を管理する第２サーバとを備え、第１鉄道会社内の第１駅から第２鉄道会社内の第２駅までの有効区間に対応した二次元コードを有する券媒体により改札処理を行う券媒体処理システムであって、
前記第１サーバは、
第１駅から第２駅までのいずれかの駅に設置された改札機において券媒体の二次元コードに基づいた入場処理が行われた旨の入場情報を記憶する第１記憶手段と、
第１駅から第２駅までの駅のうちの第１鉄道会社内のいずれかの駅に設置された改札機から、前記第１記憶手段に記憶されている入場情報と同一の入場情報を受信したのに基づいて、前記券媒体の二次元コードに基づいた入場処理及び出場処理を不許可とするネガティブ情報を生成するネガティブ情報生成手段と、
前記ネガティブ情報生成手段により生成されたネガティブ情報を前記第２サーバに送信する送信手段と、
前記ネガティブ情報生成手段により生成されたネガティブ情報を、第１駅から第２駅までの駅のうちの第１鉄道会社内の各駅に設置された改札機に配信する第１配信手段と、
を備えたことを特徴とする券媒体処理システム。
［２］  
前記第２サーバは、
前記第１記憶手段に記憶された入場情報と同一の入場情報を記憶する第２記憶手段と、
前記第１サーバの前記送信手段から送信されたネガティブ情報を、第１駅から前記第２駅までの駅のうちの第２鉄道会社内の各駅に設置された改札機に配信する第２配信手段と、
を備えたことを特徴とする［１］に記載の券媒体処理システム。
［３］  
前記第１鉄道会社内の各駅及び前記第２鉄道会社内の各駅に設置された改札機は、
前記第１配信手段または前記第２配信手段から配信されたネガティブ情報を記憶する第３記憶手段と、
券媒体から二次元コードを読み取る読取手段と、
前記読取手段により読み取られた前記二次元コードに基づき対応するネガティブ情報が前記第３記憶手段に記憶されているか否かを判断するネガティブ情報判断手段と、
当該改札機が設置された当該駅が前記読取手段により読み取られた前記二次元コードの有効区間内であるか否かを判断する有効区間判断手段と、
前記ネガティブ情報判断手段により対応するネガティブ情報が前記第３記憶手段に記憶されていないと判断され、且つ、前記有効区間判断手段により有効区間内であると判断されたのに基づいて、改札通路を開放するドア機構と、
前記ネガティブ情報判断手段により対応するネガティブ情報が前記第３記憶手段に記憶されていないと判断され、且つ、前記有効区間判断手段により有効区間内であると判断されたのに基づいて、前記券媒体の二次元コードに基づいた入場処理が行われた旨の入場情報を生成する情報生成手段と、
を備えたことを特徴とする［１］に記載の券媒体処理システム。
［４］  
第１鉄道会社内の各駅に設置された改札機を管理する第１サーバと、第１鉄道会社との間で相互乗り入れしている第２鉄道会社内の各駅に設置された改札機を管理する第２サーバとを備え、第１鉄道会社内の第１駅から第２鉄道会社内の第２駅までの有効区間に対応した二次元コードを有する券媒体により改札処理を行う券媒体処理システムの券媒体処理方法であって、
第１駅から第２駅までの駅のうちの第１鉄道会社内の駅に設置された改札機において、券媒体の二次元コードに基づいた入場処理が行われた旨の入場情報を生成し、
前記第１サーバにおいて、前記入場情報を第１記憶手段に記憶するとともに、前記入場情報を前記第２サーバに送信し、
前記第２サーバにおいて、前記第１サーバから送信された前記入場情報を第２記憶手段に記憶し、
前記第１サーバまたは前記第２サーバにおいて、第１駅から第２駅までのいずれかの駅に設置された改札機から前記入場情報と同一の入場情報を受信したのに基づいて、前記券媒体の二次元コードに基づいた入場処理及び出場処理を不許可とするネガティブ情報を生成し、
前記第１サーバにおいてネガティブ情報を生成した場合には生成したネガティブ情報を前記第２サーバに送信するとともに、前記第２サーバにおいてネガティブ情報を生成した場合には生成したネガティブ情報を前記第１サーバに送信し、
第１駅から第２駅までの駅のうちの第１鉄道会社内の各駅に設置された改札機に対して前記第１サーバから前記ネガティブ情報を配信するとともに、第１駅から第２駅までの駅のうちの第２鉄道会社内の各駅に設置された改札機に対して前記第２サーバから前記ネガティブ情報を配信することを特徴とする券媒体処理方法。
［５］  
前記第１鉄道会社内の各駅及び前記第２鉄道会社内の各駅に設置された改札機において、
前記第１サーバまたは前記第２サーバから配信されたネガティブ情報を第３記憶手段に記憶し、
券媒体から二次元コードを読み取り、
読み取った前記二次元コードに基づき対応するネガティブ情報が前記第３記憶手段に記憶されているか否かを判断し、
当該改札機が設置された当該駅が有効区間内であるか否かを判断し、
対応するネガティブ情報が前記第３記憶手段に記憶されていないと判断され、且つ、有効区間内であると判断されたのに基づいて、改札通路を開放し、
対応するネガティブ情報が前記第３記憶手段に記憶されていないと判断され、且つ、有効区間内であると判断されたのに基づいて、前記券媒体の二次元コードに基づいた入場処理が行われた旨の入場情報を生成することを特徴とする［４］に記載の券媒体処理方法。
【符号の説明】
【００７１】
１…改札機（券媒体処理装置）
１１…制御部
１３…メモリ（第３記憶手段）
１５…読取部（読取手段）
１６…ネガティブ情報判断部（ネガティブ情報判断手段）
１７…有効区間判断部（有効区間判断手段）
１８…ドア制御部  １８Ａ…ドア機構
１９…情報生成部（情報生成手段）
４１…第１サーバ
４１３…メモリ（第１記憶手段）
４１１…制御部（送信手段及び第１配信手段）
４１４…ネガティブ情報生成部（ネガティブ情報生成手段）
４２…第２サーバ
４２３…メモリ（第２記憶手段）
４２１…制御部（送信手段及び第２配信手段）
４２４…ネガティブ情報生成部（ネガティブ情報生成手段）
【図１】
0005444060.tif 000002
【図２】
0005444060.tif 000003
【図３】
0005444060.tif 000004
【図４】
0005444060.tif 000005
【図５】
0005444060.tif 000006
【図６】
0005444060.tif 000007